(57)【要約】      （修正有）【課題】女性の外装用パンツの体形補整をすることが出来るパンツを提供する。【解決手段】ベルト１１と、左レッグ１２と、右レッグ１３と、股下と、を含むボディ１と、ボディの内側に設けられ且つストレッチ性を有するつなぎパーツ２と、左ストレッチ裏地３と、右ストレッチ裏地４と股下ストレッチ裏地５で形成されたガードルを備えるパンツである。つなぎパーツ２は上部がベルトに１１に接続され、下部はストレッチ裏地３，４と接続されている。【選択図】図２
0003194594.tif 000002
【実用新案登録請求の範囲】
【請求項１】
ベルト（１１）と、左レッグ（１２）と、右レッグ（１３）と、股下と、を含むボディ（１）と、
ボディ（１）の内側に設けられ且つストレッチ性を有するつなぎパーツ（２）と、
左ストレッチ裏地（３）と、右ストレッチ裏地（４）と股下ストレッチ裏地（５）で形成されたガードルを備えるパンツである。
つなぎパーツ（２）は上部ベルトに（１１）に接続され、下部は（３）、（４）のストレッチ裏地と接続され形成されている。
【請求項２】
請求項１に記載されているパンツであって、
左ストレッチ裏地（３）及び右ストレッチ裏地（４）は左右対称であり、
左ストレッチ裏地（３）と右ストレッチ裏地（４）の前中心部は、縫製糸で固定されており、後ろ中心部はゴムで固定されている。
股下ストレッチ裏地（５）は３角形になっており、且つ、縫製糸によって左ストレッチ裏地（３）及び右ストレッチ裏地（４）の下中央で縫い合わされている。
【請求項３】
請求項２に記載されているパンツであって、
縫製ステッチは、上ステッチ（６１）、中ステッチ（６２）及び下ステッチ（６３）で構成されており、左ストレッチ裏地（３）上部及び右ストレッチ裏地（４）の上部より、ウエスト部分上ステッチ（６１）までの裏側と、
中ステッチ（６２）と下ステッチ（６３）の間の裏側に伸縮性素材を有している。
【請求項４】
請求項１に記載されているパンツであって、
つなぎパーツ（２）は伸縮性のあるパワーネット等でなっており、その縦の長さは前身頃中央部で短く、後身頃中間部に向かって徐々に長くなっている。
【考案の詳細な説明】
【技術分野】
【０００１】本考案は、ヒップアップ機能及びウエスト引締め機能を有するガードル付パンツに関する。
【背景技術】
【０００２】女性の間で、下半身の下腹部やヒップの形を矯正するために、ガードルなどのファンデーション下着をズボンやスカートの下に着用するのは一般的である。【０００３】しかしながら、それらガードルとパンツを別々に着用するのは煩わしく、またガードル自体は締め付け感が強く、着用快適性に劣るものがであった。
そこでこれら問題を解決するために、パンツやスカートの中に伸縮性裏地を縫い付け、体形補整するパンツやスカートが多く出てきた【０００４】たとえば後身頃の裏にパワーネット生地を縫い付けたパンツ（特許文献１参照）、パワーネット素材を表身頃裏側全周に縫いつけたスパッツやスカート（特許文献２参照）、後身頃ヒップ部から前身頃までのラインをストレッチ生地で逢着したパンツ（特許文献３参照）等が提案されている。
【先行技術文献】
【特許文献１】実用新案登録第３０９８７０２号公報
【特許文献２】特開平９−１３２０６号公報
【特許文献３】特開２００６−２９９４６４
【考案が解決しようとする課題】
【０００５】しかしながら、特許文献１の後身頃の裏にパワーネット生地を縫い付けたパンツは、裏地と表地がほぼ同じ寸法であるため、ヒップを持ち上げる効果は小さかった。
【０００６】特許文献２のパワーネット素材を表身頃裏側全周に縫い付けたスパッツやスカートは、締め付けの効果はあるが、着脱のしやすさに劣るものであった。
【０００７】  特許文献３はヒップアップの効果はあるがウエストの引き締め効果に劣るものだった。
そこで、本考案の目的は従来の技術欠点を改良し、ヒップアップ効果、下腹部の体形補整、着用快適性に優れたパンツを提供することにある。
【課題を解決するための手段】
【０００８】上記目的を達成するために、下腹部及び下ヒップ部分に伸縮性のある素材を組み合わせ、且つ引締めに必要な角度に沿った生地のカットにより、ウエスト体形補整及びヒップアップの効果を狙ったガードルをパンツの中に組み込んだガードル一体型のパンツとするものである。
【０００９】ガードルをパンツのウエスト部分と前立て部分両サイド部分に接ぎ合せ、ウエスト上部分に伸縮性のある素材を２重に縫製する、これによりウエスト下腹部の締め付け効果を狙うことが出来る
【００１０】また後身頃のヒップ下部分から前身頃中部分にかけても伸縮性のある素材を２重に縫製することにより、ヒップアップ効果を狙うことが出来る。
【考案の効果】
【００１１】本考案のガードル付パンツは、数種類の伸縮性のある素材を部分部分に数枚使い適度な装着感にてウエストの引き締め機能、及びヒップアップ機能の効果の向上により寄与するものとなるのである。
【図面の簡単な説明】
【００１２】
【図１】  パンツの構造図
【図２】  図１の透視図
【図３】  図１の後仕様図
【図４】  図３の透視図  ボディ（１）、つなぎパーツ（２）、左ストレッチ裏地（３）、右ストレッチ裏地（４）、股下ストレッチ裏地（５）、縫製ステッチ（６）、ベルト（１１）、左レッグ（１２）、右レッグ（１３）
【考案を実施するための形態】
【００１３】  以下、本考案の実施の形態を図に基づいて説明する。
【実施例１】
【００１４】  図１〜４、ベルト（１１）と、左レッグ（１２）と、右レッグ（１３）と、股下と、を含むパンツボディ（１）と、ボディ（１）の内側で縫製された、ストレッチ性を有するつなぎパーツ（２）と、左ストレッチ裏地（３）と、右ストレッチ裏地（４）と股下ストレッチ裏地（５）とで構成されたガードルを備えるパンツである。【００１５】つなぎパーツ（２）は上部ベルトに（１１）に接続され、下部は（３）、（４）のストレッチ裏地と接続され形成されている。【００１６】左ストレッチ裏地（３）及び右ストレッチ裏地（４）は左右対称であり、左ストレッチ裏地（３）と右ストレッチ裏地（４）の前中心部は、縫製糸で固定されており、後ろ中心部はゴムで固定されている。
股下ストレッチ裏地（５）は３角形になっており、且つ、縫製糸によって左ストレッチ裏地（３）及び右ストレッチ裏地（４）の下中央で縫い合わされている。【００１７】縫製ステッチは、上ステッチ（６１）、中ステッチ（６２）及び下ステッチ（６３）で構成されており、左ストレッチ裏地（３）上部及び右ストレッチ裏地（４）の上部より、ウエスト部分上ステッチ（６１）までの裏側と、中ステッチ（６２）と下ステッチ（６３）の間の裏側に伸縮性素材を有している。
【図１】
0003194594.tif 000003
【図２】
0003194594.tif 000004
【図３】
0003194594.tif 000005
【図４】
0003194594.tif 000006
【手続補正書】
【提出日】平成26年9月10日(2014.9.10)
【手続補正１】
【補正対象書類名】実用新案登録請求の範囲
【補正対象項目名】全文
【補正方法】変更
【補正の内容】
【実用新案登録請求の範囲】
【請求項１】
ベルト（１１）と、左レッグ（１２）と、右レッグ（１３）と、股下と、を含むボディ（１）と、ボディ（１）の内側に設けられ且つストレッチ性を有するつなぎパーツ（２）と、左ストレッチ裏地（３）と、右ストレッチ裏地（４）と
股下ストレッチ裏地（５）で形成されたガードルを備えるパンツであって、
つなぎパーツ（２）は上部ベルトに（１１）に接続され、下部はストレッチ裏地（３、４）と接続され形成されているパンツ。
【請求項２】
請求項１に記載されているパンツであって、
左ストレッチ裏地（３）及び右ストレッチ裏地（４）は左右対称であり、
左ストレッチ裏地（３）と右ストレッチ裏地（４）の前中心部は、前立て（１４）部分に縫製糸で固定されており、左ストレッチ裏地（３）と右ストレッチ裏地（４）の後ろ中心部はゴムで縫い合わされ、  股下ストレッチ裏地（５）は３角形になっており、且つ、縫製糸によって左ストレッチ裏地（３）及び右ストレッチ裏地（４）の下中央で縫い合わされているパンツ。
【請求項３】
請求項２に記載されているパンツであって、
縫製ステッチは、上ステッチ（６１）、中ステッチ（６２）及び下ステッチ（６３）で構成されており、左ストレッチ裏地（３）上部及び右ストレッチ裏地（４）の上部より、ウエスト部分上ステッチ（６１）までの裏側と、
中ステッチ（６２）と下ステッチ（６３）の間の裏側に伸縮性素材を有しているパンツ。
【請求項４】
請求項１に記載されているパンツであって、
つなぎパーツ（２）は伸縮性のあるパワーネット等でなっており、その縦の長さは前身頃中央部で短く、後身頃中間部に向かって徐々に長くなっているパンツ。
【手続補正２】
【補正対象書類名】明細書
【補正対象項目名】００１２
【補正方法】変更
【補正の内容】
【００１２】
【図１】  パンツの構造図
【図２】  図１の透視図
【図３】  図１の後仕様図
【図４】  図３の透視図  ボディ（１）、つなぎパーツ（２）、左ストレッチ裏地（３）、右ストレッチ裏地（４）、股下ストレッチ裏地（５）、縫製ステッチ（６）、ベルト（１１）、左レッグ（１２）、右レッグ（１３）、前立て（１４）
【手続補正３】
【補正対象書類名】明細書
【補正対象項目名】００１６
【補正方法】変更
【補正の内容】
【００１６】左ストレッチ裏地（３）及び右ストレッチ裏地（４）は左右対称であり、
左ストレッチ裏地（３）と右ストレッチ裏地（４）の前中心部は、前立て（１４）部分に縫製糸で固定されており、左ストレッチ裏地（３）と右ストレッチ裏地（４）の後ろ中心部はゴムで縫い合わされている。
股下ストレッチ裏地（５）は３角形になっており、且つ、縫製糸によって左ストレッチ裏地（３）及び右ストレッチ裏地（４）の下中央で縫い合わされている。
【手続補正４】
【補正対象書類名】図面
【補正対象項目名】図２
【補正方法】変更
【補正の内容】
【図２】
0003194594.tif 000007